(57)【特許請求の範囲】
【請求項１】
回転して草などの刈り払いを行うコードと、該コードを収納しかつ間欠回動しながら該コードを繰り出すリールと、該リールを収納するケースを覆うカバーと、該ケースから下方に突出し押圧することにより軸方向に移動可能でありかつ前記リールを間欠回動させる押圧体とからなる刈払機用のロータリカッタにおいて、該押圧体を前記ケースから突出させる方向に付勢する手段が前記リールと押圧体との間に設けられ、該押圧体とケースとは相互に係合して相対的に回動せず軸方向には摺動可能であるとともに、前記付勢手段に抗して前記押圧体を押すことにより該押圧体に設けた一組の突起が前記リールに設けた突起と係合、離脱して該リールを間欠回動させる構成となすとともに、前記押圧体に設けた一組の突起のうち一方が嵌合する長孔をさらに前記リールに設けたことを特徴とする刈払機用のロータリカッタ。
【請求項２】
前記付勢手段によって一定位置に保持されたラチェットがロータリカッタの高速回転による遠心力によって拡開し、前記押圧体の軸方向の摺動を阻止するように構成したことを特徴とする請求項１に記載の刈払機用のロータリカッタ。
【請求項３】
前記押圧体の中央部に設けた弾性変形する爪部が前記リールの中央部に設けた円筒部に係合していることを特徴とする請求項１または２に記載の刈払機用のロータリカッタ。
【発明の詳細な説明】
【０００１】
【発明の属する技術分野】
本発明は原動機などによりシャフトを介して回転駆動されるケースの半径方向に延出されたコードにより草などの刈り払い作業を行うための刈払機用のロータリカッタに関するものである。
【０００２】
【従来の技術】
従来、この種の技術としてはリールにコードを収納する方式のもので、コードの自由端側が摩耗した時に、これを繰り出す方法としてエンジンを停止させ、カッタ部を一部分解したり、ねじを緩めるか、または特開昭５７−５６０８号公報に示すようにカッタの取付軸の先端にリールを軸方向に移動させるための押圧体を設けて、これを回転中に押し込むことによりリールとハウジングの位相がずれてコードが繰り出されるように構成されているものであった。
【０００３】
【発明が解決しようとする課題】
しかしながら、上記した構成の従来のロータリカッタでは、前者はコードを繰り出すための操作が極めて繁雑であり、また後者は回転中に押圧体を叩きつけて押込むために、コードの自由端側が下がりコードによって小石などを飛散させて危険であり、さらにロータリカッタの分解時に各部品がそれぞれ分離して再組付けの際に、極めて面倒な手順や細心の注意が必要となるなどの問題があった。
さらに刈払機側の形状が異なる場合に、カバーに取付けることができず、したがって刈払機によっては当該ロータリーカッタを使用することができないなどの問題もあった。
【０００４】
本発明の目的は、前記した従来の技術の問題点を解決し、コードの自由端側が摩耗の際のコードの繰り出し操作をロータリカッタの低速回転時や非作動状態（停止）時でのみ実施できるので小石などの飛散も防止でき、またロータリカッタの分解時に各部品がバラバラにならず、したがって再組付けが容易であり、さらに刈払機側の形状に応じてカバーを組み替えできるように構成した刈払機用のロータリカッタを提供することである。
【０００５】
【課題を解決するための手段】
上記目的を達成するため本発明は回転して草などの刈り払いを行うコードと、該コードを収納しかつ間欠回動しながら該コードを繰り出すリールと、該リールを収納するケースを覆うカバーと、該ケースから下方に突出し押圧することにより軸方向に移動可能でありかつ前記リールを間欠回動させる押圧体とからなる刈払機用のロータリカッタにおいて、該押圧体を前記ケースから突出させる方向に付勢する手段が前記リールと押圧体との間に設けられ、該押圧体とケースとは相互に係合して相対的に回動せず軸方向には摺動可能であるとともに、前記付勢手段に抗して前記押圧体を押すことにより該押圧体に設けた一組の突起が前記リールに設けた突起に係合、離脱して該リールを間欠回動させる構成となすとともに、前記押圧体に設けた一組の突起のうち一方が嵌合する長孔をさらに前記リールに設けたことを特徴とするものであって、さらに前記付勢手段によって一定位置に保持されたラチェットがロータリカッタの高速回転による遠心力によって拡開し、前記押圧体の軸方向の摺動を阻止するように構成し、また前記押圧体の中央部に設けた弾性変形する爪部が前記リールの中央部に設けた円筒部に係合していることを特徴とする。
なお、前記付勢手段としては、例えば前記リールと押圧体との間にリタンスプリングを設ける手段を採用することができる。また、前記カバーは、例えば中央部に刈払機への取付用の雌ねじ部材を設けたプラスチック材、あるいは中央部に刈払機への取付用の穴を設けた薄い板金材で構成することができる。
【０００６】
【発明の実施の形態】
つぎに本発明を添付図面に基いて説明する。
図１は本発明の一実施例に係る刈払機用のロータリカッタの非作動状態（停止）時もしくは低速回転時の状態を示す断面図、図２はロータリカッタが高速回転中の状態を示す断面図、図３はロータリカッタが低速回転し、かつ押圧体を押圧している状態を示す断面図、図４は本発明の一実施例に係る刈払機用のロータリカッタの分解断面図、図５はリールの繰り出しの状態を示す説明図、図６は本発明の他の実施例に係るロータリカッタの非作動状態（停止）時もしくは低速回転時の状態を示す断面図であって、Ａはハウジング、１はリール、２はケース、３はプラスチック製のカバー、３′は薄い板金製のカバー、４は押圧体、５はラチェット、６はリタンスプリング、７はコードである。
【０００７】
本発明では、外周部にナイロンなどで形成されたコード７を収納し、かつ該コード７の中央部（１本のコードを使用する場合）あるいは一端部（２本のコードを使用する場合）を固定する手段（図示せず）を有し、かつコード７の絡み合いを防止する環状壁１−１により二分割された凹溝１−２を外周部に設け、また中央に設けられた貫孔１−３の内周面に内方へ突出し等間隔をおいて設けられた複数個の突起１−４を有するリール１が有底円筒状からなるケース２内に回動可能に収納されている。また前記貫孔１−３の内部には一体に径方向に延長するフランジ１−５により支持された円筒部１−６が設けられ、該円筒部１−６と貫孔１−３は同軸上に配設されているとともに、前記フランジ１−５には同一円周上で等間隔をおいて複数個の長孔１−８が穿設されている。
【０００８】
前記ケース２には外周面の相対する方向にコード７が導出する出口２−１が設けられており、また底部２−２の中央部には円孔２−３が穿設されている。
そしてケース２の開放端縁部には外方に向いてフック２−５が設けられており、このフック２−５が前記ケース２の開放端部全面に亘って覆って取付けられるカバー３の外周縁部に穿設された孔３−１と嵌合可能に構成されている。すなわちフック２−５を孔３−１に嵌合することによりケース２にカバー３が着脱可能に取付けられ、該ケース２とカバー３によりハウジングＡが構成されている。
またカバー３の中央部には刈払機への取付用の雌ねじ部材３−２が固着され、該雌ねじ部材３−２には刈払機本体の軸部（図示せず）に螺着されるねじ部３−３が設けられいる。
【０００９】
一方ケース２とカバー３により形成されるハウジングＡの内部には、リール１の貫孔１−３内に嵌入して前記ケース２の円孔２−３より底部が突出するようにリタンスプリング６により付勢された有底円筒体からなる押圧体４が収納されており、該押圧体４の開放周縁部には前記リール１の内周面に設けられた突起１−４に対応して同じく等間隔をおいて上方で外方へ突出する複数個の突起４−１が設けられ、さらに押圧体４の底部４−２からは軸方向に複数個のアーム状の弾性リブ４−３が突出して該リブ４−３の自由端に設けられた爪部４−４がリール１の貫孔１−３内部に設けられた円筒部１−６の環状段部１−７に掛合いされている。
【００１０】
さらに押圧体４の外周に軸方向に延長して設けられた突起４−５を、ケース２の円孔２−３の孔周縁部より軸方向に突出して設けられた円筒壁２−６の内周面に軸方向に設けられた凹溝２−７と係合させてケース２と押圧体４が相対的に回動しないが軸方向には摺動可能となるよう構成している。
【００１１】
そして前記リタンスプリング６は一端が押圧体４の底部４−２に当接して押圧体４を下方に付勢し、一方他端はフランジ１−５に支軸５−１を介して回転可能に枢着されたほぼＬ字状のラチェット５の短辺部５−２に当接するよう張設されている。したがってＬ字状のラチェット５は、ケース２とカバー３とからなるハウジングＡに高速回転による遠心力がかからない限り、すなわち非作動状態（停止）時もしくは低速回転時にはその長辺部５−３が押圧体４の内周壁と平行になるよう位置せしめられるものであり（図１参照）、一方前記ハウジングＡが高速回転すると、リタンスプリング６に抗して前記長辺部５−３に遠心力が働いて該長辺部５−３の自由端５−４が径方向で外方に拡開するので押圧体４の内周面に設けられた環状の段部４−６と係合できるように構成されているものである（図２参照）。
【００１２】
つぎに図５に基づいて押圧体４に設けた突起４−１と突起４−５、およびリール１の貫孔１−３に設けた突起１−４との位置関係を説明すると、突起４−１と４−５は、相互に軸方向に位相がずれておりかつリール１の突起１−４の幅より大きな間隔をおいて円周方向にも位相がずらされて設けられている。したがって押圧体４が軸方向に摺動した時にリール１の突起１−４が該押圧体４の突起４−１と突起４−５の間隔に位置するよう移動可能な幅を有する構成となっている。
【００１３】
このような構成を有する本発明についてその動作を以下に説明する。
まず刈払機が非作動状態もしくは低回転状態では図１に示すようにリタンスプリング６によって押圧体４は下方に付勢されるとともに、リール１の円筒部１−６内の環状段部１−７と押圧体４の弾性リブ４−３の先端の爪部４−４とが掛合いした状態となっているために、それ以上押圧体４が下方に移動することを阻止されている。この際にはリタンスプリング６の付勢力はラチェット５の短辺部５−２に働いて該ラチェットの長辺部５−３が押圧体４の内周壁と平行する方向に保持されることになる。
【００１４】
つぎに刈払機が高速回転を始めると、その回転によりシャフト雌ねじ部材３−２を介してカバー３全体を回転させて、孔３−１とフック２−５との嵌合によってケース２もカバー３とともに回転するためハウジングＡ全体が回転し、ケース２の円筒壁２−６に設けられた凹溝２−７と押圧体４の外周面に設けられた突起４−５との係合により該押圧体４もともに一体的に回転し、さらに押圧体４の突起４−１がリール１の突起１−４と係合してハウジングＡとリール１が一体的に回転することになる。このリール１の回転により該リール１の凹溝１−２に固定され出口２−１より外部に延出しているコード７が回転してその自由端部によって芝や雑草などを刈り取ることができる。
【００１５】
このようにケース２とカバー３とからなるハウジングＡが高速回転している時は、ラチェット５の長辺部５−３に遠心力が働いてリタンスプリング６に抗して長辺部５−３の自由端５−４が径方向で外方に拡開して押圧体４の段部４−６と係合し得る図２の状態となるために押圧体４を地面に叩きつけても該押圧体４は軸方向に摺動して上昇することができない。
【００１６】
一方使用していたコード７の自由端側が刈り取りなどにより摩耗して短くなりリール１より繰り出す必要がある場合には、ラチェット５の長辺部５−３に遠心力が働かず該長辺部が押圧体４の内周面と平行状態を保持されかつハウジングＡが低回転している時（図５の（ａ）参照）に、図３に示すように押圧体４を地面に叩きつけると、該押圧体４はリタンスプリング６に抗して上方に移動する。
【００１７】
この際、押圧体４の上昇に伴い突起４−１も上昇して（図５（ｂ）参照）リール１の突起１−４との係合が外れ、刈払機の回転が直接作用する押圧体４はそのままの回転数で回転を維持するが、該押圧体４の突起４−１との係合が外れたリール１の回転は慣性力のみによるため低下する。このようにリール１の回転が低下するために押圧体４の回転が先行し、突起４−５が回転方向の下流側の次の突起４−１と当接する状態となる（図５（ｃ）参照）。ついでリタンスプリング６の復帰力により押圧体４が下降するとともに、押圧体４の突起４−１はリール１の突起１−４の位置に戻る（図５の（ｄ）参照）続いて次の突起１−４に当接し、図５の（ａ）となる。すなわちリール１は該リール１の突起１−４間の距離だけ間欠回動したことになる。
このようにハウジングＡが低速回転している時に、押圧体４を地面に叩きつけるたび毎に突起１−４間の周長に対応した長さだけコード７がリール１より繰り出され、作業員が所望の数だけ押圧体４を地面に叩きつければ所望の長さのコード７がリール１より繰り出されることになるのである。
【００１８】
一方ロータリカッタが停止している時に、コード７を繰り出す場合は、まず押圧体４を地面に叩きつけて、該押圧体４をリタンスプリング６に抗して上方に移動させる。この際にはロータリカッタは回転していないので、上昇した突起４−１の回転方向の下流側の上端で後縁部に設けた傾斜面４−１ａが、リール１のフランジ１−５に等間隔をおいて複数個の長孔１−８の回転方向の上流側の下端で前縁部に設けられた傾斜面１−８ａに当接することになる。この傾斜面同士の当接によって長孔１−８は図５（ｂ）のように僅かに後方に押しやられることになる。ついでリタンスプリング６の復帰力により押圧体４が下降するために、該押圧体４の突起４−１はリール１の突起１−４に乗り上げた状態となる。ここで作業員がコード７を引張ればリール１が逆転して突起４−１は突起１−４の上面を滑動して図５（ｄ）の位置を占めるために、コード７を繰り出すことができるようになるのである。
したがってこの場合も作業員が所望の数だけ押圧体４を地面に叩きつけれコード７を引張れば所望の長さのコード７がリール１より繰り出されることになるのである。
【００１９】
つぎに本発明に係る刈払機のロータリカッタのコード７が摩耗して交換しなければならない場合や内部の部品を交換、保守するために分解する必要がある場合などには、まずカバー３の孔３−１とケース２のフック２−５との嵌合を外せばケース２を下方に向けて取り外すことができる。ついでリール１と押圧体４とをカバー３より取り外してコード７を取り替えればよい。この際、リタンスプリング６やほぼＬ字状のラチェット５を内装している押圧体４はこの押圧体４のアーム状の弾性リブ４−３の先端部の爪部４−４とリール１の貫孔１−３の内部に設けられた円筒部１−６の環状段部１−７との掛合いによってリール１と分離することがなく、したがって再組付けが極めて容易となる。
なお押圧体４の内部にあるリタンスプリング６やほぼＬ字状のラチェット５を交換する時には、前記爪部４−４と環状段部１−７との掛合いを解除するために、押圧体４を下方に強く引っ張ればアーム状の弾性リブ４−３が撓んで該押圧体４をリール１より取り外すことができ、押圧体４とリール１とを分離することが可能となる。
さらに押圧体４をリール１に再組付けしたい場合には、ラチェット５やリタンスプリング６を内装した後、押圧体４の弾性リブ４−３をリール１の円筒部１−６内に軸方向で下方より押込めば、前記とは逆にアーム状の弾性リブ４−３が撓み爪部４−４が環状段部１−７により縮径し、ついで該環状段部１−７を乗り越えた後弾性リブ４−３の弾性により原状態に拡開して爪部４−４と環状段部１−７とが掛合い状態とすることができる。
【００２０】
以上説明した実施例においては、カバー３をプラスチック材で成形し、中央部に刈払機への取付け用の雌ねじ部材を設けたものを説明したが、本発明ではカバー３′を図６のように薄い板金材で形成し、中央部に刈払機への取付け用の孔３′−１を穿設して構成することもできる。
このようにカバー３、３′の刈払機への取付け部分の形状を適宜選択することができるので、刈払機側の形状に応じてカバーを組み替えて当該ロータリカッタを用いることができる。
【００２１】
【発明の効果】
以上述べた通り本発明によれば、コードの自由端側が摩耗の際のコードの繰り出し操作をロータリカッタの低速回転時や非作動状態（停止）時でのみ実施できるので小石などの飛散も防止でき、またロータリカッタの分解時に各部品がバラバラにならず、したがって再組付けが容易であり、さらに刈払機側の形状に応じてカバーを組み替えできるように構成した刈払機用のロータリカッタを提供することが可能となる。
【図面の簡単な説明】
【図１】本発明の一実施例に係る刈払機用のロータリカッタの非作動状態もしくは低速回転時の状態を示す断面図である。
【図２】本発明の一実施例に係る刈払機用のロータリカッタが高速回転中の状態を示す断面図である。
【図３】本発明の一実施例に係る刈払機用のロータリカッタが低速回転し、かつ押圧体を押圧している状態を示す断面図である。
【図４】本発明の一実施例に係る刈払機用のロータリカッタの分解断面図である。
【図５】本発明の一実施例に係る刈払機用のロータリカッタにおけるリールの繰り出しの状態を示す説明図である。
【図６】本発明の他の実施例に係るロータリカッタの非作動状態もしくは低速回転時の状態を示す断面図である。
【符号の説明】
Ａ  ハウジング
１  リール
１−１  環状壁
１−２、２−７  凹溝
１−３  貫孔
１−４、４−１、４−５  突起
１−５  フランジ
１−６  円筒部
１−７  環状段部
１−８  長孔
２  ケース
２−１  出口
２−２  底部
２−３  円孔
２−５  フック
２−６  円筒壁
３、３′  カバー
３−１  孔
３−２  雌ねじ部材
３−３  ねじ部
３′−１  取付け用の孔
４  押圧体
４−２  底部
４−３  弾性リブ
４−４  爪部
４−５、４−６  段部
５  ラチェット
５−１  支軸
５−２  短辺部
５−３  長辺部
５−４  自由端
６  リタンスプリング
７  コード
【図１】
0004121210.tif 000002
【図２】
0004121210.tif 000003
【図３】
0004121210.tif 000004
【図４】
0004121210.tif 000005
【図５】
0004121210.tif 000006
【図６】
0004121210.tif 000007